(57)【特許請求の範囲】
【請求項１】
無線サービスエリアを構成する基地局、無線サービスエリアを移動する移動局、移動局の位置を管理する交換機により構成される複数の無線通信システムにおける移動局の交換機間ローミング装置であって、
前記各無線通信システムの移動局は、移動局が初期登録した交換機のシステムＩＤ以外に該移動局をローミングさせたい他の交換機のシステムＩＤを予め設定するＩＤ設定手段と、移動局が初期登録した交換機から他の交換機の無線サービスエリアに移動した時に移動先交換機からシステムＩＤを受信し、受信したシステムＩＤと前記ＩＤ設定手段で設定されたシステムＩＤとを比較することにより移動先交換機への位置登録可否を判定する判定手段と、前記判定手段による判定結果が位置登録可の場合に前記移動先交換機へ位置登録させる信号を送出する登録信号送出手段と、を備え、ローミング可能とする移動先交換機を移動局毎に限定することを特徴とする交換機間ローミング装置。
【請求項２】
各無線通信システムの交換機は、一時的に移動してくる移動局用の仮内線番号を予め設定する仮設定手段と、交換機が一時的に移動してきた移動局からの位置登録信号を受けた時に前記仮設定手段で設定された空きの仮内線番号を前記移動局に割り当てて位置登録を通知する割当・通知手段を備えることを特徴とする請求項１記載の交換機間ローミング装置。
【請求項３】
各無線通信システムの交換機は、一時的に移動してきた移動局に対して割り当てる仮内線番号の設定数を変更する変更手段を備えることを特徴とする請求項２記載の交換機間ローミング装置。
【発明の詳細な説明】
【０００１】
【発明が属する技術分野】
本発明は、無線サービスエリアを構成する基地局、無線サービスエリアを移動する移動局、移動局の位置を管理する交換機により構成される複数の無線通信システムにおける移動局の交換機間ローミング装置に関するものである。
【０００２】
【従来の技術】
従来の移動無線通信システムは、交換機（ＰＢＸ）毎に無線サービスエリアを構成する基地局と、無線サービスエリアを移動する移動局、及び移動局の位置を管理する交換機により構成され、移動局が交換機へ初期登録を行うと、この交換機の無線サービスエリア範囲内でのみ利用することができる。
【０００３】
【発明が解決しようとする課題】
しかしながら、上記のような従来の移動通信システムでは、移動局が初期登録を行った交換機の無線サービスエリアを外れると通信ができないという問題があった。
【０００４】
本発明は、このような従来の課題を解決するものであり、移動局が初期登録していない交換機の無線サービスエリアに移動しても、この無線サービスエリアにおいて、移動してきた移動局を利用できるようにした交換機間ローミング装置を提供することを目的とする。
【０００５】
【課題を解決するための手段】
本発明の交換機間ローミング装置においては、各無線通信システムの移動局が、移動局が初期登録した交換機のシステムＩＤ以外に該移動局をローミングさせたい他の交換機のシステムＩＤを予め設定するＩＤ設定手段と、移動局が初期登録した交換機から他の交換機の無線サービスエリアに移動した時に移動先交換機からシステムＩＤを受信し、受信したシステムＩＤと前記ＩＤ設定手段で設定されたシステムＩＤとを比較することにより移動先交換機への位置登録可否を判定する判定手段と、前記判定手段による判定結果が位置登録可の場合に前記移動先交換機へ位置登録させる信号を送出する登録信号送出手段とを備えてなるものである。
【０００６】
これにより、移動局が初期登録した交換機以外の無線サービスエリアに移動しても、この無線サービスエリアにおける交換機のシステムＩＤを予め移動局に設定することにより、移動局を利用できる。
【０００７】
【発明の実施の形態】
本発明の請求項１に記載の発明は、無線サービスエリアを構成する基地局、無線サービスエリアを移動する移動局、移動局の位置を管理する交換機により構成される複数の無線通信システムにおける移動局の交換機間ローミング装置であって、前記各無線通信システムの移動局は、移動局が初期登録した交換機のシステムＩＤ以外に該移動局をローミングさせたい他の交換機のシステムＩＤを予め設定するＩＤ設定手段と、移動局が初期登録した交換機から他の交換機の無線サービスエリアに移動した時に移動先交換機からシステムＩＤを受信し、受信したシステムＩＤと前記ＩＤ設定手段で設定されたシステムＩＤとを比較することにより移動先交換機への位置登録可否を判定する判定手段と、前記判定手段による判定結果が位置登録可の場合に前記移動先交換機へ位置登録させる信号を送出する登録信号送出手段と、を備え、ローミング可能とする移動先交換機を移動局毎に限定するものであり、移動局の移動可能な交換機のシステムＩＤを予め設定することにより、移動局毎に交換機間ローミングの利用範囲を制限でき、かつ判定手段を有することにより、移動局毎に交換機間ローミングの利用を制限できる。
【０００８】
また、本発明の請求項２に記載の発明は、各無線通信システムの交換機が、一時的に移動してくる移動局用の仮内線番号を予め設定する仮設定手段と、交換機が一時的に移動してきた移動局からの位置登録信号を受けた時に前記仮設定手段で設定された空きの仮内線番号を前記移動局に割り当てて位置登録を通知する割当・通知手段を備えるものであり、一時的に移動してくる移動局に仮内線番号を割り当てることにより、移動してきた移動局をあたかも移動側の交換機に初期登録を行った移動局のように制御することができる。
【０００９】
また本発明の請求項３に記載の発明は、各無線通信システムの交換機が、一時的に移動してきた移動局に対して割り当てる仮内線番号の設定数を変更する変更手段を備えるものであり、移動局に対して割り当てる仮内線番号の設定数を変更できることにより、交換機が制御する無線制御システムに同時に移動してくる移動局の数を制限することができる。
【００１０】
以下、本発明の実施の形態について、図１及び図２を用いて説明する。
【００１１】
図１は、本発明の交換機間ローミングを可能にして複数の無線通信システムの概略構成図である。
【００１２】
図１において、各無線通信システムＡ、Ｂは、無線通信システムＡ、Ｂ毎に無線サービスエリア１、２を構成する基地局１１Ａ、２１Ｂと、無線サービスエリア１、２を移動する移動局１２Ａ、２２Ｂ及び移動局１２Ａ、２２Ｂの位置を管理する交換機１３Ａ、２３Ｂにより構成される。
【００１３】
移動局１２Ａ、２２Ｂは、これら移動局が初期登録した交換機以外の他の交換機のシステムＩＤを予め設定するＩＤ設定手段３１と、移動局１２Ａ及び２２Ｂが初期登録した交換機１３Ａ及び２３Ｂから他の交換機２３Ｂまたは１２Ｂの無線サービスエリア２または１に移動した時に交換機間ローミングが可能か否かを判定する判定手段３２と、判定手段３２が交換機間ローミング可を判定した時にＩＤ設定手段３１で設定されたシステムＩＤに基づき、移動した無線サービスエリアの交換機へ位置登録信号を送出する登録信号送出手段３３を備える。
【００１４】
また、交換機１３Ａ、２３Ｂは、それぞれの無線サービスエリア１、２内にある移動局１２Ａ、２２Ａの位置を登録するホームメモリ３４を有するとともに、一時的に移動してくる移動局用の仮内線番号を予め設定する仮設定手段３５と、交換機１３Ａ、２３Ｂに初期登録した移動局１２Ａ、２２Ａが、初期登録されていない他の交換機２３Ｂまたは１２Ｂの無線サービスエリアに一時的に移動してきた時に、この移動局１２Ａ、２２Ａからの位置登録信号を他の交換機２３Ｂまたは１２Ｂが受けることにより、仮設定手段３５で設定された空きの仮内線番号を移動局に割り当てて位置登録を通知する割当・通知手段３６を備え、さらに、一時的に移動してきた移動局に対して割り当てる仮内線番号の設定数を変更する変更手段３７を備える。
【００１５】
次に、上記のように構成された本実施の形態の動作について、図２にフローチャート図を参照して説明する。
【００１６】
例えば、移動局１２Ａが初期登録を行った交換機１３Ａの無線サービスエリア１から交換機２３Ｂの無線サービスエリア２に移動すると（ステップＳ１）、移動局１２Ａは自身が交換機間ローミングが可能かを判定手段３２が判定する（ステップＳ２）。ここで、移動局１２Ａの交換機間ローミングが不可能と判断された場合は圏外となる（ステップＳ３）。また交換機間ローミングが可能であると判断された場合は、交換機２３Ｂの基地局２１Ｂから交換機２３ＢのシステムＩＤを送信し（ステップＳ４）、このシステムＩＤを移動局１２Ａで受信する（ステップＳ５）。
【００１７】
移動局１２Ａでは、受信した交換機２３ＢのシステムＩＤとＩＤ設定手段３１で設定された自身の移動可能な交換機のシステムＩＤとが一致するかを判定し（ステップＳ６）、交換機２３ＢのシステムＩＤが設定した移動可能なシステムＩＤと一致する場合は、移動局１２Ａは登録信号送出手段３３により位置登録信号を基地局２１Ｂを通して交換機２３Ｂに送出する（ステップＳ７）。また、移動不可能なシステムＩＤと判断された場合は、移動局１２Ａは圏外となる（ステップＳ３）。
【００１８】
一方、移動局１２Ａからの位置登録信号を受けた交換機２３Ｂでは、仮設定手段３５ににより予め設定された移動局用の仮内線番号に空きがあるかを判定し（ステップＳ８）、空きがある場合は、割当・通知手段３６により移動局１２Ａに仮内線番号を割り当て（ステップＳ９）、位置登録完了を移動局１２Ａへ通知する（ステップＳ１０）。また、仮内線番号に空きがない場合は位置登録不可を移動局１２Ａに通知し（ステップＳ１１）、移動局１２Ａは圏外となる（ステップＳ３）。
【００１９】
また、移動局１２Ａが移動先の交換機２３Ｂから位置登録完了の通知を受信すると（ステップＳ１２）、移動局１２Ａは、交換機２３Ｂの無線サービスエリア２で通話の待ち受け状態となる（ステップＳ１３）。
【００２０】
また、移動局２３Ｂが交換機１３Ａの無線サービスエリア１に移動した場合も、上記と同様に行うことができる。
【００２１】
また、交換機１３Ａ、２３Ｂには、一時的に移動してきた移動局に対して割り当てる仮内線番号の設定数を変更する変更手段３７を設けることにより、交換機が制御する無線制御システムに同時に移動してくる移動局の数を制限できる。
【００２２】
このように本実施の形態例によれば、交換機１３Ａ、２３Ｂに、一時的に移動してくる移動局用の仮内線番号を予め設定しておき、交換機１２Ａに初期登録された移動局１２Ａが、一時的に交換機１２Ａの無線サービスエリア１から交換機２３Ｂの無線サービスエリア２に移動した時に、移動局１２Ａに空きの仮内線番号を割り当てることにより、移動局１２Ａを交換機２３Ｂの無線サービスエリア２においても利用できるとともに、移動局の移動可能な交換機のシステムＩＤを予め設定することにより、移動局毎に交換機間ローミングの利用範囲を制限でき、かつ判定手段を有することにより、移動局毎に交換機間ローミングの利用を制限できる。
【００２３】
また、一時的に移動してくる移動局に仮内線番号を割り当てることにより、移動してきた移動局をあたかも移動側の交換機に初期登録を行った移動局のように制御することができ、さらに、移動局に対して割り当てる仮内線番号の設定数を変更できることにより、交換機が制御する無線制御システムに同時に移動してくる移動局の数を制限できる。
【００２４】
【発明の効果】
以上説明したように本発明によれば、移動してくる移動局を移動先の交換機の無線サービスエリア２においても利用できるとともに、移動局の移動可能な交換機のシステムＩＤを予め設定することにより、移動局毎に交換機間ローミングの利用範囲を制限でき、かつ判定手段を有することにより、移動局毎に交換機間ローミングの利用を制限できる。
【００２５】
また本発明によれば、一時的に移動してくる移動局に空きの仮内線番号を割り当てることにより、移動してきた移動局をあたかも移動側の交換機に初期登録を行った移動局のように制御することができる。
【００２６】
さらに本発明によれば、移動局に対して割り当てる仮内線番号の設定数を変更できることにより、交換機が制御する無線制御システムに同時に移動してくる移動局の数を制限することができる。
【図面の簡単な説明】
【図１】本発明の交換機間ローミング機能を備えた実施の形態における無線通信システムの概略構成を示すブロック図
【図２】本発明の実施の形態における移動局及び移動先交換機の処理手順を示すフローチャート図
【符号の説明】
Ａ、Ｂ  無線通信システム
１、２  無線サービスエリア
１１Ａ、２１Ｂ  基準局
１２Ａ、２２Ｂ  移動局
１３Ａ、２３Ｂ  交換機
３１  ＩＤ設定手段
３２  判定手段
３３  登録信号送出手段
３４  ホームメモリ
３５  仮設定手段
３６  割当・通知手段
３７  変更手段
【図１】
0003714729.tif 000002
【図２】
0003714729.tif 000003